(57)【要約】【課題】  光ディスクに映像音声データをビデオフォーマットで記録した後に、光ディスクのファイナライズ処理を自動的に行い、光ディスクのファイナライズ処理の終了後にディスク記録再生装置の電源を自動的にＯＦＦにすることができるようにする。【解決手段】  映像音声データの記録を開始したとき、映像音声データの記録終了後のファイナライズ処理の選択画面を表示し、表示された映像音声データの記録終了後のファイナライズ処理を選択して、映像音声データの記録終了後にファイナライズ処理を行うが選択されたか否かを判別し、その判別結果に基づいて映像音声データの記録終了後に光ディスクのファイナライズ処理を行い、光ディスクのファイナライズ処理後にディスク記録再生装置の電源をＯＦＦにするようにする。【選択図】        図１
2007102950.tif 000002
【特許請求の範囲】
【請求項１】
光ディスクに映像音声データを記録再生するディスク記録再生装置であって、
光ディスクに映像音声データを記録する記録手段と、前記記録手段により映像音声データの記録を開始したとき、映像音声データの記録終了後のファイナライズ処理の選択画面を表示する表示手段と、前記表示手段により表示された映像音声データの記録終了後のファイナライズ処理を選択する選択手段と、前記選択手段により映像音声データの記録終了後にファイナライズ処理を行うが選択されたか否かを判別する判別手段と、前記選択手段により映像音声データの記録終了後にファイナライズ処理を行うが選択された場合、映像音声データの記録が終了したとき、光ディスクのデータ記録領域の未ファイナライズ領域に所定データを書き込んで、光ディスクのファイナライズ処理を行うファイナライズ処理手段と、前記ファイナライズ処理手段による光ディスクのファイナライズ処理が終了したとき、光ディスクをディスク記録再生装置からイジェクトするイジェクト手段と、前記イジェクト手段により光ディスクがディスク記録再生装置からイジェクトされたとき、ディスク記録再生装置の電源をＯＦＦにする電源制御手段とを備えたことを特徴とするディスク記録再生装置。
【請求項２】
光ディスクに映像音声データを記録再生するディスク記録再生装置であって、
光ディスクに映像音声データを記録する記録手段と、前記記録手段により映像音声データの記録を開始したとき、映像音声データの記録終了後のファイナライズ処理の選択画面を表示する表示手段と、前記表示手段により表示された映像音声データの記録終了後のファイナライズ処理を選択する選択手段と、前記選択手段により映像音声データの記録終了後にファイナライズ処理を行うが選択されたか否かを判別する判別手段と、前記判別手段の判別結果に基づいて映像音声データの記録終了後に光ディスクのファイナライズ処理を行うファイナライズ処理手段とを備えたことを特徴とするディスク記録再生装置。
【請求項３】
前記ファイナライズ処理手段は、前記選択手段により映像音声データの記録終了後にファイナライズ処理を行うが選択された場合、映像音声データの記録が終了したとき、光ディスクのデータ記録領域の未ファイナライズ領域に所定データを書き込んで、光ディスクのファイナライズ処理を行うファイナライズ処理手段であることを特徴とする請求項２記載のディスク記録再生装置。
【請求項４】
前記ファイナライズ処理手段による光ディスクのファイナライズ処理が終了したとき、光ディスクをディスク記録再生装置からイジェクトするイジェクト手段を更に備えたことを特徴とする請求項２記載のディスク記録再生装置。
【請求項５】
前記イジェクト手段により光ディスクがディスク記録再生装置からイジェクトされたとき、ディスク記録再生装置の電源をＯＦＦにする電源制御手段を更に備えたことを特徴とする請求項４記載のディスク記録再生装置。
【発明の詳細な説明】
【技術分野】
【０００１】
本発明は、光ディスクに映像音声データを記録再生するディスク記録再生装置に係り、特に光ディスクに映像音声データを記録した後、光ディスクのファイナライズ処理を自動的に行うことができるディスク記録再生装置に関する。
【背景技術】
【０００２】
周知のように、ＤＶＤ（Ｄｉｇｉｔａｌ  Ｖｅｒｓａｔｉｌｅ  Ｄｉｓｃ）等の光ディスクに映像音声データをビデオフォーマットで記録した場合、映像音声データを記録した光ディスクのファイナライズ処理を行わなければ、その光ディスクに記録された映像音声データをディスク再生装置で再生することができない。地上波デジタル放送、ＢＳ（Ｂｒｏａｄｃａｓｔｉｎｇ  Ｓａｔｅｌｌｉｔｅ）デジタル放送等のテレビ放送番組を受信して、受信したテレビ放送番組の映像音声データを光ディスクにビデオフォーマットで記録した場合、その光ディスクに記録された映像音声データをディスク再生装置で再生することができるようにするためには、映像音声データの記録後に、光ディスクのファイナライズ処理を行う必要がある。しかし、光ディスクのファイナライズ処理を行っていない場合、映像音声データがビデオフォーマットで記録された光ディスクをディスク再生装置で再生しようとしても、光ディスクに記録された映像音声データを再生することができず、ユーザがディスク再生装置に不具合があると勘違いしてしまうという問題点があった。また、ＤＶＤの光ディスクのファイナライズ処理時間は、光ディスクに記録された映像音声データの記録量により変化するが、１時間程度かかるため、光ディスクのファイナライズ処理を開始すると、ファイナライズ処理が終了するまでディスク記録再生装置の電源をＯＦＦにすることができないという問題点があった。
背景技術としては、光ディスクに情報データを記録した場合に、情報データを記録した光ディスクをディスク再生装置で再生することができるように光ディスクのファイナライズ処理を一度行うと、その光ディスクに情報データを追記することができないため、光ディスクのファイナライズ処理の実行をユーザが指定するようにしたものがあった（例えば、特許文献１参照）。
また、簡易フォーマットが指示された場合、情報データを光ディスクのデータ記録領域に記録した後、記録管理データを記録管理領域とリードイン領域とに記録し、ファイナライズ処理が指示された場合、簡易フォーマットで記録された記録媒体に対し標準フォーマットに準拠した記録管理データを再記録してファイナライズ処理を行うようにしたものがあった（例えば、特許文献２参照）。
【特許文献１】特開２００３−１６２８８４号公報
【特許文献２】特開２００１−１４８１６６号公報
【発明の開示】
【発明が解決しようとする課題】
【０００３】
しかしながら、背景技術で述べたもののうち前者においては、光ディスクに情報データを記録した場合に、情報データを記録した光ディスクをディスク再生装置で再生することができるように光ディスクのファイナライズ処理を一度行うと、その光ディスクに情報データを追記することができないため、光ディスクのファイナライズ処理の実行をユーザが指定することができたが、未ファイナライズの光ディスクをディスク再生装置で再生するためには、ファイナライズ処理を行わなければならず、上記問題点を解決するようにしたものではなかった。
また、後者においては、簡易フォーマットが指示された場合、情報データを光ディスクのデータ記録領域に記録した後、記録管理データを記録管理領域とリードイン領域とに記録し、ファイナライズ処理が指示された場合、簡易フォーマットで記録された記録媒体に対し標準フォーマットに準拠した記録管理データを再記録してファイナライズ処理を行うことができたが、簡易フォーマットで記録された光ディスクをディスク再生装置で再生するためには、ファイナライズ処理を行わなければならず、上記問題点を解決するようにしたものではなかった。
本発明は、背景技術の有するこのような問題点に鑑みてなされたものであり、その目的とするところは、光ディスクに映像音声データをビデオフォーマットで記録した後に、光ディスクのファイナライズ処理を自動的に行い、光ディスクのファイナライズ処理の終了後にディスク記録再生装置の電源を自動的にＯＦＦにすることができるディスク記録再生装置を提供しようとするものである。
【課題を解決するための手段】
【０００４】
上記目的を達成するため本発明においては、光ディスクに映像音声データを記録再生するディスク記録再生装置であって、光ディスクに映像音声データを記録する記録手段と、前記記録手段により映像音声データの記録を開始したとき、映像音声データの記録終了後のファイナライズ処理の選択画面を表示する表示手段と、前記表示手段により表示された映像音声データの記録終了後のファイナライズ処理を選択する選択手段と、前記選択手段により映像音声データの記録終了後にファイナライズ処理を行うが選択されたか否かを判別する判別手段と、前記判別手段の判別結果に基づいて映像音声データの記録終了後に光ディスクのファイナライズ処理を行うファイナライズ処理手段とを備える。
前記ファイナライズ処理手段は、前記判別手段が前記選択手段により映像音声データの記録終了後にファイナライズ処理を行うが選択されたと判別した場合、映像音声データの記録が終了したとき、光ディスクのデータ記録領域の未ファイナライズ領域に所定データを書き込んで、光ディスクのファイナライズ処理を行うようにするとよい。
更に、前記ファイナライズ処理手段による光ディスクのファイナライズ処理が終了したとき、光ディスクをディスク記録再生装置からイジェクトするイジェクト手段を備える。
更に、前記イジェクト手段により光ディスクがディスク記録再生装置からイジェクトされたとき、ディスク記録再生装置の電源をＯＦＦにする電源制御手段を備える。
これらの手段により、光ディスクに映像音声データをビデオフォーマットで記録した後に、光ディスクのファイナライズ処理を自動的に行い、光ディスクのファイナライズ処理の終了後にディスク記録再生装置の電源を自動的にＯＦＦにすることができる。
【発明の効果】
【０００５】
請求項１記載の発明に係るディスク記録再生装置によれば、映像音声データの記録を開始したとき、映像音声データの記録終了後のファイナライズ処理の選択画面を表示し、表示された映像音声データの記録終了後のファイナライズ処理を選択して、映像音声データの記録終了後にファイナライズ処理を行うが選択されたか否かを判別し、映像音声データの記録終了後にファイナライズ処理を行うが選択された場合、映像音声データの記録が終了したとき、光ディスクのデータ記録領域の未ファイナライズ領域に所定データを書き込んで、光ディスクのファイナライズ処理を行い、光ディスクのファイナライズ処理が終了したとき、光ディスクをディスク記録再生装置からイジェクトし、光ディスクがディスク記録再生装置からイジェクトされたとき、ディスク記録再生装置の電源をＯＦＦにするようにしているので、光ディスクに映像音声データをビデオフォーマットで記録した後に、光ディスクのファイナライズ処理を自動的に行い、光ディスクのファイナライズ処理の終了後に、ファイナライズ処理が行われた光ディスクをディスク記録再生装置からイジェクトし、光ディスクをディスク記録再生装置からイジェクトしたとき、ディスク記録再生装置の電源を自動的にＯＦＦにすることができる。
請求項２記載の発明に係るディスク記録再生装置によれば、映像音声データの記録を開始したとき、映像音声データの記録終了後のファイナライズ処理の選択画面を表示し、表示された映像音声データの記録終了後のファイナライズ処理を選択して、映像音声データの記録終了後にファイナライズ処理を行うが選択されたか否かを判別し、その判別結果に基づいて映像音声データの記録終了後に光ディスクのファイナライズ処理を行うようにしているので、光ディスクに映像音声データをビデオフォーマットで記録した後に、映像音声データの記録終了後のファイナライズ処理の選択に応じて光ディスクのファイナライズ処理を自動的に行うことができる。
請求項３記載の発明に係るディスク記録再生装置によれば、映像音声データの記録終了後にファイナライズ処理を行うが選択された場合、映像音声データの記録が終了したとき、光ディスクのデータ記録領域の未ファイナライズ領域に所定データを書き込んで、光ディスクのファイナライズ処理を行うようにしているので、映像音声データの記録終了後にファイナライズ処理を行うが選択された場合、光ディスクに映像音声データをビデオフォーマットで記録した後に、光ディスクのファイナライズ処理を自動的に行うことができる。
請求項４記載の発明に係るディスク記録再生装置によれば、光ディスクのファイナライズ処理が終了したとき、光ディスクをディスク記録再生装置からイジェクトするようにしているので、光ディスクに映像音声データをビデオフォーマットで記録した後に、ファイナライズ処理が行われた光ディスクがディスク記録再生装置からイジェクトされるので、光ディスクのファイナライズ処理が行われたことがわかる。
請求項５記載の発明に係るディスク記録再生装置によれば、光ディスクがディスク記録再生装置からイジェクトされたとき、ディスク記録再生装置の電源をＯＦＦにするようにしているので、光ディスクのファイナライズ処理が行った後、ディスク記録再生装置の電源を自動的にＯＦＦにすることができる。
【発明を実施するための最良の形態】
【０００６】
以下、適宜図面を参照しながら本発明を実施するための最良の形態を詳述する。図１は本発明の一実施例のディスク記録再生装置の構成を示すブロック図であり、図２は本発明の一実施例のディスク記録再生装置の記録終了処理の選択画面の表示例を示す図であり、図３は本発明の一実施例のディスク記録再生装置の動作を示すフローチャートである。
まず、図１の本発明の一実施例のディスク記録再生装置の構成を示すブロック図を基に説明する。
ディスク記録再生装置１は、光ディスク２にレーザ光を照射してその反射光を検出し、光ディスク２に記録されている映像音声データを読み出すとともに、光ディスク２にレーザ光を照射して、映像音声データを光ディスク２に記録する光ピックアップ３と、光ディスク２を回転させるスピンドルモータ４と、光ピックアップ３を光ディスク２の半径方向にスレッド移動させるスレッドモータ５と、スピンドルモータ４の回転速度とスレッドモータ５の回転方向、回転速度とをサーボ制御し、光ピックアップ３により検出されたトラッキング誤差信号、フォーカス誤差信号に基づいて光ピックアップ３のトラッキング、フォーカスをサーボ制御するサーボ回路６と、光ピックアップ３により読み出された映像音声データのＲＦ（Ｒａｄｉｏ  Ｆｒｅｑｕｅｎｃｙ）信号を増幅するとともに、光ディスク２に記録する映像音声データのＲＦ信号を増幅するＲＦ増幅回路７と、アンテナ１５により受信されたテレビ放送電波から選択されたチャンネルのテレビ放送番組を受信するチューナ８と、ＲＦ増幅回路７により増幅された映像音声データのＲＦ信号を基準クロックに基づいて同期検出して復調し、復調された映像音声データの誤りを訂正して、所定の圧縮方式に基づいて圧縮された映像音声データを伸張し、伸張された映像音声データを復号して映像音声信号を再生するとともに、チューナ８により受信されたテレビ放送番組の映像音声信号を映像音声データに符号化し、符号化された映像音声データを所定の圧縮方式に基づいて圧縮する信号処理回路９と、文字情報信号を映像信号に重畳して、文字情報をモニタ装置３０の画面に表示するＯＳＤ（Ｏｎ−Ｓｃｒｅｅｎ  Ｃｈａｒａｃｔｅｒ  Ｄｉｓｐｌａｙ）回路１０と、ディスク記録再生装置１のシステム全体を制御するマイコン１１と、光ディスク２をディスク記録再生装置１からイジェクトするイジェクト機構駆動回路１２と、ディスク記録再生装置１の電源をＯＮ／ＯＦＦする電源制御回路１３と、リモコン装置２０から送信された赤外線信号のリモコン信号を受信して、所定の電気信号に変換するリモコン受信部１４とで構成されている。
以上のように構成されたディスク記録再生装置について、以下その動作について説明する。
リモコン装置２０のキー操作により映像音声データの光ディスク２への記録が指令されると、マイコン１１は、サーボ回路６に制御信号を送出して、スピンドルモータ４を駆動して光ディスク２を回転させ、スレッドモータ５を駆動して光ピックアップ３を光ディスク２の半径方向にスレッド移動させ、光ピックアップ３のトラッキングとフォーカスとをサーボ制御して、光ピックアップ３により映像音声データの光ディスク２への記録を開始する。そして、マイコン１１は、ＯＳＤ回路１０に文字情報と制御信号とを送出して、映像音声データの記録終了後の光ディスク２のファイナライズ処理の選択画面をモニタ装置３０の画面３０ａに表示する（図２参照）。
マイコン１１は、リモコン装置２０のキー操作により映像音声データの記録終了後の光ディスク２のファイナライズ処理が選択されたか否かを判別して、映像音声データの記録終了後に光ディスク２のファイナライズ処理を行うが選択された場合、映像音声データの光ディスク２への記録を続行して、映像音声データの光ディスク２への記録が終了すると、光ディスク２のデータ記録領域の未ファイナライズ領域に所定データ、例えば、１６進数の００Ｈを書き込んで、光ディスク２のファイナライズ処理を行う。光ディスク２のファイナライズ処理が終了すると、マイコン１１は、イジェクト機構駆動回路１２に制御信号を送出して、光ディスク２をディスク記録再生装置１からイジェクトする。そして、光ディスク２がディスク記録再生装置１からイジェクトされると、マイコン１１は、電源制御回路１３に制御信号を送出して、ディスク記録再生装置１の電源をＯＦＦにする。
また、映像音声データの記録終了後にファイナライズ処理を行うが選択されず、映像音声データの記録終了後にファイナライズ処理を行わないが選択された場合、マイコン１１は、映像音声データの光ディスク２への記録を続行して、映像音声データの光ディスク２への記録が終了する。この場合、映像音声データの記録終了後に、光ディスク２がディスク記録再生装置１からイジェクトされず、また、ディスク記録再生装置１の電源がＯＦＦにされず、ディスク記録再生装置１の電源がＯＮ状態になっているので、ユーザはリモコン装置２０の操作キーを操作して、ディスク記録再生装置１を所望動作させることができる。光ディスク２をディスク記録再生装置１からイジェクトする場合、リモコン装置２０のイジェクトキー（図示せず）を操作することにより光ディスク２をディスク記録再生装置１からイジェクトすることができる。また、ディスク記録再生装置１の電源をＯＦＦにする場合、リモコン装置２０の電源キー（図示せず）を操作することによりディスク記録再生装置１の電源をＯＦＦにすることができる。
また、図３の本発明の一実施例のディスク記録再生装置の動作を示すフローチャートを基に説明する。
リモコン装置のキー操作により映像音声データの光ディスクへの記録が指令されると、ステップＳ１からステップＳ２に進み、ステップＳ２で、映像音声データの光ディスクへの記録が開始されて、映像音声データの記録終了後の光ディスクのファイナライズ処理の選択画面が表示され、ステップＳ３に進む。
ステップＳ３で、映像音声データの記録終了後の光ディスクのファイナライズ処理が選択されたか否かが判断され、映像音声データの記録終了後に光ディスクのファイナライズ処理を行うが選択された場合、ステップＳ４に進み、映像音声データの記録終了後に光ディスクのファイナライズ処理を行うが選択されず、映像音声データの記録終了後に光ディスクのファイナライズ処理を行わないが選択されていない場合、ステップＳ９に進む。
ステップＳ４で、映像音声データの光ディスクへの記録が続けられ、ステップＳ５に進む。
ステップＳ５で、映像音声データの光ディスクへの記録が終了したか否かが判断され、映像音声データの光ディスクへの記録が終了した場合、ステップＳ６に進み、映像音声データの光ディスクへの記録が終了していない場合、ステップＳ４に戻って、ステップＳ４からのステップを繰り返す。
ステップＳ６で、光ディスクのデータ記録領域の未ファイナライズ領域のファイナライズ処理が行われて、ステップＳ７に進む。
ステップＳ７で、光ディスクのファイナライズ処理が終了したか否かが判断され、光ディスクのファイナライズ処理が終了した場合、ステップＳ８に進み、光ディスクのファイナライズ処理が終了していない場合、ステップＳ６に戻って、ステップＳ６からのステップを繰り返す。
ステップＳ８で、光ディスクがディスク記録再生装置からイジェクトされて、ディスク記録再生装置の電源がＯＦＦにされ、ステップＳ１１に進んで処理を終了する。
ステップＳ９で、映像音声データの光ディスクへの記録が続けられ、ステップＳ１０に進む。
ステップＳ１０で、映像音声データの光ディスクへの記録が終了したか否かが判断され、映像音声データの光ディスクへの記録が終了した場合、ステップＳ１１に進んで処理を終了し、映像音声データの光ディスクへの記録が終了していない場合、ステップＳ９に戻って、ステップＳ９からのステップを繰り返す。
以上、本発明を実施するための最良の形態について詳述したが、本発明はこれに限定されるものではなく、当業者の通常の知識の範囲内でその変形や改良が可能であることはいうまでもない。
【図面の簡単な説明】
【０００７】
【図１】本発明の一実施例のディスク記録再生装置の構成を示すブロック図である。
【図２】本発明の一実施例のディスク記録再生装置の記録終了処理の選択画面の表示例を示す図である。
【図３】本発明の一実施例のディスク記録再生装置の動作を示すフローチャートである。
【符号の説明】
【０００８】
１  ディスク記録再生装置
２  光ディスク
３  光ピックアップ
４  スピンドルモータ
５  スレッドモータ
６  サーボ回路
７  ＲＦ増幅回路
８  チューナ
９  信号処理回路
１０  ＯＳＤ回路
１１  マイコン
１２  イジェクト機構駆動回路
１３  電源制御回路
１４  リモコン受信部
１５  アンテナ
２０  リモコン装置
３０  モニタ装置
３０ａ  画面
【図１】
2007102950.tif 000003
【図２】
2007102950.tif 000004
【図３】
2007102950.tif 000005